(57)【特許請求の範囲】
【請求項１】
水平帰線パルスに応答してパラボラ状の信号を発生する手段と；
該パラボラ状の信号と該水平帰線パルスとの間に所定の水平方向の時間的関係を維持するため該発生手段を制御する手段と；
該制御手段の出力信号に接続され、該出力信号に応答して、該水平帰線パルスに対し所定の水平方向の位相を有する鋸歯状の信号を発生し、補正的な偏向電流を与えるため結合する鋸歯状信号発生器とからなる偏向補正波形発生器。
【請求項２】
上／下の幾何学的な歪みを有するラスタを表示する陰極線管と；
該陰極線管に取付けられ、該ラスタ歪みを補正する偏向補正コイルと、
該コイルに接続され、該コイルにラスタ補正的な電流を発生する偏向増幅器と；
該偏向増幅器に接続され、帰線パルスに応答し、ラスタ補正信号の補正の効果は該陰極線管上で水平方向に中心が定められるような該帰線パルスに対し制御可能的に進められた水平方向のタイミングを有するラスタ補正信号を発生する手段とからなるビデオディスプレイ。
【発明の詳細な説明】
【０００１】
【発明の属する技術分野】
本発明はビデオ表示の分野に係り、特に、陰極線管（ＣＲＴ）ディスプレイの偏向波形補正信号の発生及びタイミングに関する。
【０００２】
【従来の技術】
投射形ビデオディスプレイにおいて、陰極線管表示装置に関係した通常の幾何学的なラスタ歪みは、湾曲した凹状の球面発光ディスプレイ面と、光投影経路の固有の倍率とを備えたＣＲＴの使用によって悪化させられる。湾曲したフェースプレートのＣＲＴは、投影経路長の短縮及び光学的画像化の単純化に関し利点がある。しかし、表示された画像はスクリーンで見当の合った３本の投影されたラスタを構成するので、多数の補正的な偏向波形が、電子ビーム偏向と、管のフェースプレート形状と、光学的表示経路との組合せから生じる幾何学的歪みを補償するため必要とされる。
【０００３】
【発明が解決しようとする課題】
従って、大画面の視覚化によって課されるより厳しい集光の要求条件を満たすため、補正波形は、特別に形状を定められ、安定的に発生され、かつ、厳密にタイミングを定められる必要がある。
【０００４】
【課題を解決するための手段】
本発明の偏向補正波形発生器は、水平帰線パルスに応答してパラボラ状の信号を発生する手段と；パラボラ状の信号と水平帰線パルスとの間で所定の水平方向の時間的関係を維持するため発生手段を制御する手段と；制御手段の出力信号に接続され、制御手段に応答して水平帰線パルスに対し所定の水平方向の位相を有する鋸歯状の信号を発生し、補正的な偏向電流を供給するため結合する鋸歯状の信号発生器とからなる。
【０００５】
【発明の実施の形態】
図１の（Ａ）には陰極線管の投射を採用するビデオディスプレイが示されている。３本の陰極線は、スクリーン上に１本のラスタを形成すべくＣＲＴ発光ディスプレイ面から画像を投射するため機械的に配置され、かつ、光学的に結合される。各ＣＲＴは、そのＣＲＴに結合されたカラー信号に適当な本質的に単色のカラーラスタを表示する。カラー信号は表示信号の入力信号から得られる。例えば、緑色のラスタを表示する中心のＣＲＴは、ラスタ中心がスクリーンに直交するよう位置決めされる。別の二つの管は、中心の管の位置から対称的に偏位し、その結果として、それらのラスタの垂直部分だけがスクリーン上に直交的に投射される。かくして、図１の（Ａ）の非常に簡単化された配置において、外側に表示されたラスタは、電子ビーム走査から生じる他の幾何学的歪みに加えて、台形状の幾何学的歪みを受ける。図１の（Ａ）に示された陰極線管は、湾曲した凹状の球面発光ディスプレイ面を有する。従って、スクリーン上で見当の合った３本のラスタにより構成された投影画像は、電子ビーム偏向と、管のフェースプレート形状と、光学的表示経路との組合せから生じる幾何学的歪みを補償するため補正的な偏向波形を必要とする。
【０００６】
種々の形式の幾何学的歪みが電子ビーム走査から生じる。例えば、図１の（Ｂ）には、上−下の台形状歪みとして周知の垂直方向の走査偏向の幾何学的歪みが示されている。上記形式の歪みがある場合、図１の（Ｂ）に示されているように、ライン走査構造の不正確な位置決めを生じるので、垂直方向の走査速度は水平方向のレートの鋸歯信号によって変調されていると考えられる。同図において、点線ＣＯＲＲは、上記歪みを除去するため必要とされる補正の効果を表わしている。補正の効果は、ラスタの縁で同じ補正の効果を生じるためディスプレイの中心線付近で旋回させる必要がある。
【０００７】
図１の（Ｄ）には、走査されたラスタ内で走査線の位置が、斜め、或いは、直線的に上向き又は下向きにされた斜め歪みを表わす水平ライン走査構造の同様な歪みが示されている。点線ＣＯＲＲは斜め歪みを除去するため必要とされる補正の効果が示されている。補正の効果は、ラスタの縁で同じ補正の効果を生じるためディスプレイの中心線付近に枢軸を有する必要がある。
【０００８】
図１の（Ｅ）には、表示され、かつ、見当の合った３本の着色されたラスタの組合せを表わす偏向波形補正の所望の結果が示されている。同図において、各ラスタの水平走査線の垂直位置は、互いに名目的に平行するよう補正され、かつ、あらゆる差分配置誤差は、疑似的な色が付けられた縁の形成、又は、集光誤差を著しく除去するため、最小限に抑えられた。上下の台形状の補正は、垂直レートのランプ信号で変調された水平レートの鋸歯又はランプ信号を便宜的に使用する。理想的に変調された上／下の台形状補正波形は、図１の（Ｃ）に水平レートで表わされ、ラスタの上部、下部及び中心で補正的な波形形状が表わされている。図１の（Ｃ）には、更に、ディスプレイに表示されたような変調波形の水平鋸歯成分の水平方向ミス−タイミング又はフェージングＤが示されている。水平方向のミス−タイミング又は遅延Ｄにより、台形状の補正の効果の不所望なミス−センタリングが生じ、周辺で補正が徐々に加えられる枢軸点Ｃは、Ｃ’に移動させられる。遅延Ｄの別の結果として、台形状の補正の振幅の不均衡が左右のラスタの縁の間に生じる。補正の効果のミス−センタリングは、歪み形状を効率的に変換すると考えられる凹状の球面ディスプレイ面によってラスタの縁に向けて悪化させられる。かくして、本発明によれば、遅延Ｄの影響を補償するため、斜め及び台形の両方の補正のため利用された水平鋸歯成分が、先に進められた水平方向位相と共に、発生される。
【０００９】
図１の（Ａ）において、ビデオ信号は端子Ａに入力され、例えば、陰極線管５１０、５３０及び５６０上のディスプレイ用の赤、緑、青のような色成分をビデオ信号から得るクロマプロセッサ３０に結合される。三つの陰極線管ディスプレイは、スクリーン８００上に単一の画像を形成するため光学的に投影される。端子Ａのビデオ信号は、ビデオ信号から水平レート同期パルスＨｓ及び垂直レート同期パルスＶｓを得る同期パルス分離器１０にも結合される。分離された水平同期パルスＨｓは、位相ロックドループ（ＰＬＬ）水平発振器及び偏向増幅器９００に結合される。分離された垂直同期パルスＶｓは、垂直発振器及び偏向増幅器７００に結合される。水平ＰＬＬ発振器及び偏向増幅器９００は、並列接続された３本の水平偏向コイルＲＨ、ＧＨ及びＢＨに結合される。コイルＲＨは、赤色の水平偏向コイルを表わし、コイルＧＨ及びＢＨは、緑色及び青色の水平偏向コイルを夫々表わしている。同様に、垂直発振器及び偏向増幅器７００は、直列接続された３本の垂直偏向コイルに結合され、コイルＲＶは赤色の垂直コイルを表わし、コイルＧＶ及びＢＶは、夫々、緑色及び青色のコイルを表わしている。
【００１０】
偏向波形の補正は、例えば、各管のネックに配置された個々の水平及び垂直補助偏向コイルに結合された補正的な電流によって得られる。水平及び垂直の方向に夫々偏向する補助偏向コイルＲＨＣ及びＲＶＣは、赤色のＣＲＴのネックに配置される。同様に、緑色の補助偏向コイルＧＨＣ及びＧＶＣと、青色の補助偏向コイルＢＨＣ及びＢＶＣは、夫々、緑色と、青色のＣＲＴのネックにある。補助偏向コイルは、赤、緑、及び青色のチャンネルを夫々に表わす水平及び垂直補助偏向増幅器５００／５０５、５２０／５２５、及び、５４０／５４５によって駆動される。赤色水平補助偏向増幅器５００は、水平補助偏向コイルＲＨＣに結合された複合補正信号を発生する加算器／ドライバ増幅器からなる。赤色垂直補助偏向増幅器５０５は、同様に、垂直補助偏向コイルＲＶＣに結合された複合補正信号を発生する加算器／ドライバ増幅器からなる。同一の回路構成が緑及び青色のチャンネルのため利用される。複合補正信号は、特定の波形の形状を有する信号の選択の加算と、個別の振幅制御とによって発生させられる。パルス及び波形発生器２０によって発生された水平補正信号は、赤、緑、及び青色の水平補正加算増幅器５００、５２０及び５４０に結合される。
【００１１】
図２には、赤、緑及び青色の垂直補正加算増幅器５０５、５２５及び５４５に結合された補正信号を発生する新規の垂直補正信号発生器５０が詳細に表わされている。垂直補正信号発生器は、水平発振器及び偏向増幅器９００から水平帰線信号入力ＨＲＴを受け、パルス及び波形発生器２０から垂直レート鋸歯信号を受ける。パルス及び波形発生器２０は、垂直発振器及び増幅器７００から垂直レートパルスＶＲＴを受け、水平偏向増幅器９００から水平帰線パルスＨＲＴを受ける。偏向駆動信号の発生に加えて、パルス及び波形発生器は、上／下の偏向のための補正的な波形を除いて種々の偏向波形補正信号を生成する。
【００１２】
水平帰線パルス信号ＨＲＴは、水平レートのパラボラ状信号を形成するべく積分された第１の水平レートランプ信号を発生するため、クリッピングされ、かつ、使用される。パラボラ状の信号は、パラボラ信号のより大きい負の尖点がクリッピングされる水平レートのチルト成分と共に発生される。クリッピング動作によって、積分器Ｕ１の出力段に、一定のクリップ間隔を維持するため測定及び制御される電流制限条件が発生する。電流制限条件によって、クリッピングされた水平帰線パルスＨｚｃに略４マイクロ秒先行して生じる水平レートパルスＰＣが誘起される。パルスＰＣは、略２マイクロ秒遅延され、第２のランプ又は鋸歯発生器をリセットするため使用される。かくして、第２の水平レート鋸歯は、パルスＨｚｃの約２マイクロ秒前に発生し、斜め補正入力を補助偏向増幅器５０５、５２５、５４５と、夫々の垂直補正コイルＲＶＣ、ＧＶＣ及びＢＶＣとに供給するため結合される。初期の鋸歯は、垂直レート鋸歯が同様に供給された乗算器Ｕ２に結合される。乗算器Ｕ２からの変調された出力は、傾きが徐々に減少し、垂直鋸の中心で零になり、次いで、極性が反転し、逆向きの傾きで徐々に増加する連続的な水平ランプである。このような変調された鋸歯は、台形状の補正信号入力を補助偏向増幅器及び補正コイルに供給するため結合される。
【００１３】
水平帰線パルス信号ＨＲＴは、抵抗Ｒ１を介して、クリッピングされたパルスＨｚｃを発生することを利点とするツェナーダイオードクリッパーＤ１のカソードに結合される。水平帰線パルスＨＲＴは、公称的に２２ボルトピークの振幅を有するが、ピークパルスの振幅の形状と水平方向の位相は、図４の（Ｂ）の波形に示されているように、表示された画像のビデオの内容によって変調される。かかる帰線パルス変調は、補正信号の水平偏向に対するスプリアスな所望しない水平位相変調を生じる。有利なツェナーダイオードクリッパーは、水平ＰＬＬ発振器が同期させられた帰線パルス振幅値に対応する破壊電圧を有するよう選択される。クリッピングされたパルスＨｚｃと、得られた補正波形は、水平ＰＬＬと同一の波形点又は振幅で帰線パルスから得られるので、偏向と補正の両方の波形は相互に割り当てられることが保証され、偏向と補正信号の間の不所望な位相変調は本質的に除去される。水平ＰＬＬは、公称６．８ボルトの帰線パルスの振幅で同期させられるので、クリッピングツェナーダイオードＤ１は、６．８ボルトの破壊電圧を有するよう選択される。かくして、電源負荷と、ビデオ依存性の振幅及びパルス形状変化とを含む公称的に２２ボルトの帰線パルスＨＲＴは、ツェナーダイオードＤ１のクリッピング動作によって除去されることを利点とする。ツェナーダイオードは、７．４ボルトのピークツウピークの公称パルス振幅を生成し、＋６．８ボルトと−０．７ボルトを加えた逆の条件を表わしている。ツェナーダイオードクリッパーＤ１の使用によって、ビデオ信号と、ビーム電流に関係した帰線パルスの形状及び振幅の変化とが著しく除去される利点が得られる。かくして、補正波形の不所望の水平位相変調は著しく除去される。ツェナークリッピングによる他の利点は、微分の前に生じることが許容された場合にリセットパルスのタイミング及び幅の変化を生じる可能性のある帰線パルスの形状、立ち上がり時間、及び振幅の変化を除去することである。リセットパルスは、同一極性の微分されたパルスのエッジから発生される。更に、リセットパルスは、帰線パルスＨＲＴの間隔の半分よりも長い間隔又は幅をなしてもよく、これは、リセットパルスがクリッピング無しでパルスＨＲＴから直接微分された場合には得ることができない。
【００１４】
ダイオードＤ１のカソードでクリッピングされた帰線パルスＨｚｃは、直列接続された抵抗Ｒ２及びＲ３の対に接続されたキャパシタＣ１からなる直列回路網に結合される。抵抗Ｒ３は接地され、抵抗Ｒ２及びＲ３の接合点はトランジスタＱ１のベースに接続される。直列接続された回路網の時定数は、クリッピングされた帰線パルスが微分され、かつ、トランジスタＱ１のベースに印加されるように定められる。トランジスタＱ１のエミッタ端子は抵抗Ｒ４を介してキャパシタＣ２に接続される。トランジスタＱ２のエミッタ端子は、抵抗Ｒ５を介して＋１２ボルト電源に接続され、コレクタは、キャパシタＣ２と、抵抗Ｒ４と、トランジスタＱ３のベースとの接合点に接続される。トランジスタＱ３は、コレクタ端子が接地され、エミッタ端子が抵抗Ｒ６を介して＋１２ボルト電源に接続されたエミッタフォロワのように機能する。トランジスタＱ２は、電流の大きさがエミッタとベース端子の間に印加された電位によって制御される定電流源である。トランジスタＱ２のコレクタ電流は、公称的に増分的電圧の直線状の第１のランプを発生するキャパシタＣ２を＋１２ボルトに向けて充電する。クリッピングされた帰線パルスの微分された正のエッジは、トランジスタＱ１のベースに印加され、略８マイクロ秒の間飽和させられる。かくして、キャパシタＣ２の両端に形成されたランプ電圧は、トランジスタＱ１及び抵抗Ｒ４を介して放電される。ランプを形成するキャパシタＣ２の放電時定数は、指数関数状の電圧放電ランプを発生するため選択された抵抗Ｒ４によって殆ど定められる。水平レートで形成された第１のランプ信号Ｒｐは、エミッタフォロワＱ３を介して、積分増幅器Ｕ１の反転入力に結合された直列接続されたキャパシタＣ３と抵抗Ｒ７に結合される。増幅器Ｕ１は、抵抗Ｒ９を介して＋１２ボルト電源から給電され、抵抗Ｒ８を介して−１２ボルト電源から給電される。増幅器Ｕ１の非反転入力は接地されている。
【００１５】
回路１００は有利な水平レート積分器及びリセットパルス発生器である。クリッピングされた帰線パルスＨｚｃは、直列接続された抵抗Ｒ１００と抵抗Ｒ１０１の対に接続されたキャパシタＣ１００からなる直列接続回路網に結合される。抵抗Ｒ１０１は接地され、抵抗の接続点はトランジスタＱ１００のベースに接続される。直列接続された回路網の時定数は、クリッピングされた帰線パルスを、積分器リセットパルスＩＲを発生する５マイクロ秒の間トランジスタＱ１００を飽和させる正のエッジで微分する。トランジスタＱ１００のエミッタ端子は、増幅器Ｕ１の出力に接続された抵抗Ｒ１０２に接続され、コレクタ端子は増幅器Ｕ１の反転入力に接続される。かくして、トランジスタＱ１００は、抵抗Ｒ１０２を介して、集積回路Ｕ１によって形成された積分器の積分キャパシタＣ２を放電又はリセットする。抵抗Ｒ１０２と積分キャパシタＣ１０１の放電時定数は短く、約０．５マイクロ秒であるので、積分キャパシタＣ１０１は急速に放電され、残りの導通時間の間、リセットされたままである。
【００１６】
第１のランプ信号は、キャパシタＣ３及び抵抗Ｒ７を介して、増幅器Ｕ１の反転入力に結合される。増幅器Ｕ１の出力端子は、積分キャパシタＣ１０１を介して、反転入力に接続されるので、第１のランプ信号の積分が行われ、一般的にパラボラ状の出力信号Ｐを発生する。積分器Ｕ１の出力信号Ｐは、回路２００によって有利に形成されたクリッパー又は能動クランプに接続される。パラボラ補正信号ＰはトランジスタＱ２００のエミッタ端子に接続される。トランジスタＱ２００のコレクタは接地され、ベースはトランジスタＱ２０１のベースに接続される。トランジスタＱ２０１のベース及びコレクタ端子は相互に接続され、エミッタは接地される。かくして、トランジスタＱ２０１は、クリッパートランジスタＱ２００のベースエミッタ間電圧Ｖｂｅを厳密に定める順方向バイアス電圧基準ダイオードとして機能する。トランジスタＱ２０１のベースとコレクタ端子の接合点は、コレクタ電流を約１ミリアンペアに制限する抵抗Ｒ２００を介して、＋１２ボルト電源に結合される。トランジスタＱ２０１の電流利得（例えば、１００）は約１０マイクロアンペアのベース電流を設定し得る。トランジスタＱ２０１のベースとコレクタ端子の接続によって、１０マイクロアンペアのベース電流によってセットされたベース／コレクタからエミッタへの約０．５ボルトの電位が得られる。トランジスタＱ２０１の両端に発生された０．５ボルトは、トランジスタＱ２００のベースに接続されるので、トランジスタＱ２００のエミッタに温度安定性のクランピング電位が設定される。
【００１７】
積分増幅器Ｕ１、例えば、ＴＬＯ８２形集積回路の出力端子は、トランジスタＱ２００のエミッタに接続される。増幅器Ｕ１は、約＋／−２５ミリアンペアの内部電流制限を有するので、クランプ中にトランジスタＱ２００によって導通される最大電流が決まる。例えば、トランジスタＱ２００が電流利得１００を有する場合、クランプ中に、約０．６ボルトのＶｂｅで略２５０マイクロアンペアのベース電流が発生する。トランジスタＱ２００及びＱ２０１のベースからエミッタへの電圧は、互いに連結され、温度と共に動くので、略−１００ミリボルトのクランプ電位がトランジスタＱ２００のエミッタに設定される。かくして、積分器Ｕ１の出力端子の負の信号の偏位は、トランジスタＱ２００のエミッタのクランプ動作によって略−１００ミリボルトに制限される。
【００１８】
有利なパルス幅制御回路４００は、積分増幅器Ｕ１の反転入力に結合された直流電流を発生する。集積回路Ｕ１による上記直流電流の積分によって、水平レートのチルト又はランプ成分は、水平レートパラボラ信号Ｐに加えられる。積分増幅器Ｕ１の反転入力は、抵抗Ｒ４０９を介して、有利なパルス幅制御回路４００に接続される。抵抗Ｒ４０９を介して結合された直流電流は、正及び負の１２ボルト電源から得られた分割された電位に関するパルス幅の測定によって取り出される。有利な回路２００に対し説明したように、パラボラ信号Ｐの負の偏位は、回路２００によって−１００ミリボルトにクランプされる。回路２００のクランプ動作は、積分増幅器Ｕ１の出力回路からの電流を小さくするので、集積回路内の電流リミッタに起因した電流制限が得られる。集積回路Ｕ１の出力回路は、クランプされた負の信号の偏位の時間中、電流制限された条件を維持する。積分増幅器Ｕ１内の電流制限条件は、−１２ボルト電源によって供給された電流を監視することにより分かる。クリッピングの始めに、例えば、電流は限界値まで増加し、クリッピングの間、その値で留まる。−１２ボルトの電源は、抵抗Ｒ８を介して結合されているので、電源電流の限界値までの刻みによって、電源抵抗Ｒ８の両端の電圧降下に起因した電圧の刻み又はパルスが得られる。かくして、集積回路Ｕ１の電流制限は、抵抗Ｒ８と集積回路Ｕ１の接合点に、回路２００のクランプ動作の間隔と等しい間隔を有する正のパルスＰＣを発生する。パルスＰＣは直列接続された抵抗Ｒ４０１及びＲ４０２に結合される。抵抗Ｒ４０２は、−１２ボルト電源に接続され、抵抗の接合点は、トランジスタＱ４００のベース端子に接続された分圧器を形成する。トランジスタＱ４００は、−１２ボルト電源に接続されたエミッタ端子と共に、飽和スイッチとして機能する。トランジスタＱ４００のコレクタ端子は、抵抗４０４を介して＋１２ボルト電源に接続される。トランジスタＱ４００のコレクタは、更に、直列接続された抵抗Ｒ４０３と、分流接続されたキャパシタＣ４００とによって形成されたローパスフィルタに接続される。キャパシタＣ４００は、エミッタ結合された増幅器トランジスタＱ４０１のベース端子に接続された接合点と、＋１２ボルト電源とに接続される。トランジスタＱ４０１のコレクタ端子は接地され、エミッタは、抵抗Ｒ４０５を介して＋１２ボルト電源に接続される。トランジスタＱ４０１のエミッタは、抵抗Ｒ４０６を介してトランジスタＱ４０２のエミッタ端子にも結合される。トランジスタＱ４０１及びＱ４０２は、トランジスタＱ４０２のエミッタの抵抗Ｒ４０６によって生じた利得の低下、又は、ループダンピングを伴う差動増幅器であると考えられる。トランジスタＱ４０２のベースは、正及び負の１２ボルト電源の間に結合された分圧器を形成する抵抗Ｒ４０７とＲ４０８の接合点に接続される。抵抗Ｒ４０８は−１２ボルト電源に接続され、抵抗Ｒ４０７は＋１２ボルト電源に接続される。トランジスタＱ４０２のコレクタ端子は、キャパシタＣ４０１によって接地に減結合され、抵抗Ｒ４０９を介して、積分増幅器Ｕ１の反転入力に接続される。
【００１９】
抵抗Ｒ８の正のパルスＰＣは、トランジスタＱ４００により増幅され、反転される。反転されたコレクタのパルスは、直流電圧ＶＰＣを生成するため、抵抗Ｒ４０３及びキャパシタＣ４００によるローパスフィルタリング又は積分がなされる。ローパスフィルタを通過した直流電圧ＶＰＣは、パルスＰＣの幅に比例して変化する振幅を有する。電圧ＶＰＣは、トランジスタＱ４０１とＱ４０２とによって形成された差動増幅器に結合され、分圧抵抗Ｒ４０７及びＲ４０８により発生された基準直流電圧と比較される。分圧器は、積分器を給電する電源と、関連した回路との間に結合されるので、何れかの電源の変化によって、基準電位の変化と、パルス幅の補償的な補正とが得られる。分圧器の抵抗Ｒ４０７とＲ４０８は、パルスＰＣの幅の精度を改善するため、例えば、２％より厳しい公差の値でも構わない。分圧器は、正及び負の１２ボルト電源の間に存在する電圧の１１／６３．５の比に一致する基準電圧を発生する。１１／６３．５の比は、パルスＰＣの幅又は間隔を、水平周期の比として表わしている。かくして、電圧ＶＰＣの変化は、所望のパルス間隔を表わす基準電圧と比較され、補正の電流をトランジスタＱ４０２に流す。補正の電流ＩＴは、増幅器Ｕ１の反転入力でバイアス電流を変えるため、抵抗Ｒ４０９を介して結合される。抵抗Ｒ４０８によって誘起された補正の直流バイアス電流ＩＴの積分された影響によって、増幅器Ｕ１の出力信号が、電流ＩＴに比例した傾斜を有する浅いランプに重畳される。かくして、パラボラ信号Ｐはチルトされ、異なる直流電位を有する波形の尖点が誘起され、その結果として、負のパラボラ信号の偏位は回路２００によってクランプされる。クランプ動作によって、補正のバイアス電流ＩＴに応じて制御された幅又は間隔を有する電流制限パルスＰＣが生じる。積分増幅器Ｕ１は、パルスＨｚｃの立ち上がりエッジと同時にリセットされるので、チルトされたパラボラ信号Ｐもリセットされる。従って、パルスＰＣの立ち下がりエッジは、パルスＨｚｃの立ち上がりエッジと一致する。有利な回路４００は、電源及び回路２００のクランプ電圧の変化を補償するため、立ち上がりエッジのタイミングを変えることにより、パルスＰＣの幅を制御する。
【００２０】
パルスＰＣは、クリッピングされた水平帰線パルスＨｚｃに略４マイクロ秒先行して発生され、第２のランプ発生器６００をリセットするため結合される。ランプ又は鋸歯発生器６００は、斜め及び上／下の台形状補正のため初期、或いは、水平方向に進められた鋸歯状の信号を発生する。パルスＰＣは、キャパシタＣ６０１及び直列抵抗Ｒ６０１を介してスイッチトランジスタＱ６０１のベース端子に交流結合される。トランジスタＱ６０１のベースは、接地された抵抗Ｒ６０２と、正の１２ボルト電源に接続された抵抗Ｒ６０３の接合点に接続される。キャパシタＣ６０３は、トランジスタＱ６０１と信号接地との間に接続される。トランジスタＱ６０１のエミッタは接地され、コレクタ端子は、キャパシタＣ６０４と、電流源トランジスタＱ６０２のコレクタ端子の接合点に接合される。鋸歯波形はキャパシタＣ６０４の両端に発生される。トランジスタＱ６０２のベースは、分圧器を形成する抵抗Ｒ６０４と抵抗Ｒ６０５の接合点に接続され、抵抗Ｒ６０４は接地され、抵抗Ｒ６０５は正の１２ボルト電源に接続される。減結合キャパシタＣ６０２は、トランジスタＱ６０２のベースと、正の１２ボルト電源との間に接続される。キャパシタＣ６０４とトランジスタＱ６０１及びＱ６０２のコレクタの接合点は、エミッタフォロワ接続されたＰＮＰトランジスタＱ６０３のベース端子に接続される。トランジスタＱ６０３のコレクタ端子は接地され、エミッタは、ＮＰＮトランジスタＱ６０４のベース端子と、正の１２ボルト電源に接続された抵抗Ｒ６０４及びキャパシタＣ６０７の並列結合との接合点に接続される。トランジスタＱ６０４は、コレクタ端子が正の１２ボルト電源に接続され、エミッタ端子が抵抗Ｒ６０８を介して接地されたエミッタフォロワとして構成される。トランジスタＱ６０４のエミッタの初期の鋸歯状信号は、斜め補正信号入力を与えるため、赤、緑及び青色の補助偏向増幅器５０５、５２５及び５４５に結合される。初期の鋸歯信号は、更に、乗算器Ｕ２に結合され、台形状歪みの補正用の出力信号を生成するため垂直レート鋸歯信号によって変調される。乗算器Ｕ２からの出力は、夫々の補助偏向コイルＲＶＣ、ＧＶＣ及びＢＶＣに必要とされる補正の電流を発生する補助偏向増幅器５０５、５２５及び５４５に結合される。
【００２１】
図３の（Ａ）には、種々の波形と、水平間隔中に表わされたそのタイミングの関係が、水平帰線パルスＨＲＴの開始を基準として示されている。同図の（Ａ）における信号の振幅は、例示するための目的に過ぎない。帰線パルスＨＲＴは、例えば、水平偏向出力変圧器上のＣＲＴのヒーター巻線から得られ、略２２ボルトのパルス振幅を有する。同図の（Ａ）に示されたパルスは、略１２マイクロ秒の公称の間隔を有し、種々の装荷機構により得られる典型的な形状、幅、及び、立ち上がり時間の変調なしにに示されている。波形Ｒｐは、図２のトランジスタＱ２のコレクタで発生する水平レートランプＲｐを表わしている。ランプＲｐは直線的に上昇するランプで描かれている。しかし、放電抵抗Ｒ４の動作により生じる指数関数的なリセット周期が表わされている。形成されたパラボラ信号は、図２の集積回路Ｕ１の出力で発生された波形Ｐで示されている。特定のパラボラ信号の開始及び終了時間は、図３の（Ｂ）の波形により厳密に表わされている。しかし、水平帰線パルスＨＲＴに対し先行したパラボラ信号Ｐの水平位相は、偏向補正信号路内に存在する遅延の影響を補償するため必要とされる有利な位相進みの例を示している。かくして、水平方向に中心を定められ、表示された画像の中心線付近で旋回する補正の効果が得られる偏向補正波形が発生される利点がある。
【００２２】
図３の（Ｂ）の波形には、有利な補正の波形タイミングを発生するため利用された種々の波形の水平位相調整が示されている。補正波形Ｐは、公称的にはパラボラ状をなすが、特定のラスタ位置に特定の補正を生じさせる種々の付加的な波形よりなる。同図の（Ｂ）の波形には、左右のラスタ両側の表示中に発生した種々の波形に対する水平帰線パルスＨＲＴの時点ｔ０における位相調整が示されている。ｔ３とｔ０の間の時点ＲＨＳで、ラスタの右側が表示され、補正波形Ｐがクランプ動作回路２００によって形成される。有利なクランプ回路２００は、負の尖点又はピークを制限し、これにより、時点ｔ３とｔ０の間で、例えば、４マイクロ秒に亘って零の補正の波形の振幅が得られる。電流制限パルスＰＣは、時点ＲＨＳ、即ち、ｔ３とｔ０の間で生じることが表わされている。積分器リセットパルスＩＲは、積分区間を終了させ、パラポラの発生を止めるので、パルスＰＣの立ち下がりエッジは積分器リセットパルスＩＲと同時に起こる。波形Ｐの水平タイミングのあらゆる不安定性は、パルス幅を変えるパルスＰＣの前縁の移動によって示されている。波形Ｐは、ラスタの右側が表示されているとき、時点ＲＨＳでゼロに低減されるが、夫々の偏向コイル内の実際の変調された電流ＩＣＯＲ  は、遅延するだけではなく、立ち上がり／立ち下がり時間が低下する。かくして、時点ｔ３における波形Ｐの明白、急激な波形の不連続性は、平滑化され、或いは、ゼロ補正値の方にフレアされる。補正波形発生の水平位相調整、又は、開始点ｔ１は、積分器リセットパルスＩＲによって定められる。パルスＩＲが時点ｔ１で終了するとき、キャパシタＣ１０１は、補正波形信号Ｐの発生の積分及び開始を可能にする。時点ｔ１とｔ２の間のＬＨＳで、ラスタの左側は表示され、補正的な波形Ｐが、時点ｔ１とｔ２の間に発生する指数関数的な形状ＥＸＰの積分によって形成される。指数関数的な形状は、抵抗Ｒ４を介したキャパシタＣ２の放電によって発生される。時間ＬＨＳ中に、補正波形Ｐはランプ信号Ｒｐの指数関数状の放電部分の積分によって得られた形状を有する。時点ｔ２に、ランプリセットパルスＲＲは終了し、指数関数的な放電は終わり、直線状のランプの発生が開始される。かくして、時点ｔ２とｔ３の間の掃引期間に亘って、ランプＲｐは積分され、補正波形Ｐのパラボラ状成分が生成される。
【００２３】
図４の（Ａ）には、図３の（Ｂ）に示された種々の波形の水平位相調整の波形が示され、図の（Ａ）に示された波形は、補正信号ＨＳＡＷとして斜め及び台形状の補正を得るべく有利な初期信号Ｒｓを発生するため利用される。同図の（Ａ）の波形において、水平タイミングは、帰線パルス内で発生し、帰線パルスの６．８ボルトの振幅値の間に生じる時間間隔Ｈｚｃに一致する幅を有するクリッピングされた帰線パルスＨｚｃの立ち上がりエッジを時点ｔ０として表わされている。パルスＰＣの立ち上がりエッジは、時点ｔ１に表わされ、パルスＨｚｃに対し略４マイクロ秒だけ先行又は水平方向に進んでいる。上記の如く、パルスＰＣは、クリッピングされた帰線パルスＨｚｃの立ち上がりエッジと同時に終了する。パルスＰＣは、ランプリセットトランジスタＱ６０１のベースに交流結合されているが、抵抗Ｒ６０１と分路キャパシタＣ６０３の動作によって遅延される。抵抗Ｒ６０１とキャパシタＣ６０３のＲＣ積分の影響によって、パルスＰＣの立ち上がりエッジに略２．５マイクロ秒の遅延が生じ、この遅延は、トランジスタＱ６０１のベースに発生する波形Ｑｂに表わされている。かくして、遅延したパルスＰＣは、時点ｔ２で、ランプ形成キャパシタＣ６０４を放電するトランジスタＱ６０１を飽和させる。遅延したパルスＰＣの終了によって、トランジスタＱ６０１は、キャパシタＣ６０４がトランジスタＱ６０２のコレクタ電流によって充電されるようにターンオフする。
【００２４】
ディスプレイの電力上昇中に、図２に示した有利なパルス幅制御回路は、安定、かつ、水平方向に進んだパルスＰＣの発生の前に、安定化する時間が必要である。電源サイクリングを生じる高い散逸状態を取る垂直偏向補正増幅器の可能性を回避するため、パルスＰＣがトランジスタＱ６０１に結合されるまで、初期のランプ発生器６００は動作を禁止される。初期のランプ発生は、トランジスタＱ６０１のベースを正の電源に結合するプルアップ抵抗Ｒ６０３を介して、トランジスタＱ６０１を飽和状態に維持することにより抑止される。パルスＰＣが発生したとき、交流結合による平均の値は、正のプルアップ電流を上回ることが十分に保証され、トランジスタＱ６０１はパルスＰＣの正の間隔中だけにターンオンされる。かくして、電力の上昇中に、初期のランプ発生は抑止され、不所望な電源サイクリングは回避される。
【００２５】
初期の水平レート鋸歯信号Ｈｓａｗは、上／下のピンクッション補正を生じるパラボラ信号制御ループによって発生され、タイミングを定められる。初期の水平レート鋸歯信号発生器は、偏向増幅器及び補助コイルによって遅延されたとき、ディスプレイの中心に合わされた補正の効果を生成する補正の信号成分を提供する。かくして、上／下の斜め及び台形状の補正は、対称的に配置され、ディスプレイの中心付近に枢軸がある。したがって、より高い集光精度が実現され、安定的に維持されるので、より高品質の画像ディスプレイが製造される。
【図面の簡単な説明】
【図１】（Ａ）は本発明の特徴を含むＣＲＴ投射ディスプレイの簡単化されたブロック図であり、（Ｂ）乃至（Ｅ）は種々の幾何学的歪みを示すラスタを表わす図である。
【図２】図１の本発明の特徴を表わす装置の概略図である。
【図３】本発明の多様な波形を示す図である。
【図４】水平ブランキング間隔付近で発生する図３の本発明の波形を示す図である。
【符号の説明】
１０    同期パルス分離器
２０    パルス及び波形発生器
３０    クロマプロセッサ
５０    垂直補正信号発生器
２００    クランプ動作回路
４００    パルス幅制御回路
５００，５２０，５４０    水平補助偏向増幅器
５０５，５２５，５４５    垂直補助偏向増幅器
５１０，５３０，５６０    陰極線管
６００    第２のランプ発生器
７００    垂直発振器及び偏向増幅器
８００    スクリーン
９００    水平ＰＬＬ発振器及び偏向増幅器
Ａ    入力端子
ＲＨ，ＧＨ，ＢＨ    水平偏向コイル
ＲＶ，ＧＶ，ＢＶ    垂直偏向コイル
Ｕ１    積分器
Ｕ２    乗算器
【図１】
0003615619.tif 000002
【図２】
0003615619.tif 000003
【図３】
0003615619.tif 000004
【図４】
0003615619.tif 000005